(57)【要約】【課題】上部パネルを取り付けた、天井面まで立ち上がるドア枠を簡単にしかも精度良く設置することができるようにする。【解決手段】ドア枠を構成する上枠１２の短手方向の一端側における下面に、上部パネル２０が予めねじ止めされた上部パネルユニット１であって、上枠１２は、上面側の長手方向の両端角部が切除されており、この切除部の側端面に、縦枠に取り付けられた２本の連結ピンの大径の頭部に係合することで、縦枠を引き付けた状態で、上枠１２を縦枠に連結する引き独鈷金具３２が取り付けられている。【選択図】        図３
2011163008.tif 000002
【特許請求の範囲】
【請求項１】
天井面まで立ち上がるドア枠に取り付けられるドアの直上部分を仕切るために、前記ドア枠の上部に取り付けられる上部パネルと、
前記ドア枠を構成している上枠と
を備え、
前記上枠が前記上部パネルに予め取り付けられていることを特徴とする上部パネルユニット。
【請求項２】
前記上部パネルは、透明または半透明の窓部を有している請求項１に記載の上部パネルユニット。
【請求項３】
前記上枠の両端部には、前記ドア枠を構成している縦枠に取り付けられた連結ピンに係合することで、前記上枠を前記縦枠に連結する引き独鈷金具が取り付けられている請求項１または２に記載の上部パネルユニット。
【請求項４】
前記上枠の両端部には、前記ドア枠を構成している縦枠に取り付けられた連結ピンに係合することで、前記縦枠を引き付けた状態で、前記上枠を前記縦枠に連結する引き独鈷金具が取り付けられている請求項１または２に記載の上部パネルユニット。
【発明の詳細な説明】
【技術分野】
【０００１】
この発明は、縦枠が天井面まで立ち上がり、ドアの上側に上部パネルが取り付けられるドア枠を壁面開口部に設置する場合に有利な上部パネルユニットに関する。
【背景技術】
【０００２】
通常、ドア枠を取り付ける際は、床の上で、左右一対の縦枠の上端部に上枠を予め取り付けておき、このように組み上がったドア枠を起こし、壁面開口部に嵌め入れて固定設置するのが一般的であるが、縦枠が天井面まで立ち上がるタイプのドア枠の場合は、左右一対の縦枠の上端部に上枠を予め取り付けておくと、組み上がったドア枠を起こす際にドア枠が天井面に接触し、天井面が損傷するといった問題がある。
【０００３】
従って、縦枠が天井面まで立ち上がるタイプのドア枠を設置する場合は、まず、それぞれの縦枠を個別に壁面開口部の側面に仮止めした後、上枠を壁面開口部の上面に位置決めしながら固定設置し、それぞれの縦枠を上枠の両端部に連結した後、縦枠が垂直になるように調整しながら、縦枠を壁面開口部の側面に固定する。
【０００４】
その後、ドアの上端部より少し上の位置で両縦枠に接続される横桟を取り付け、この横桟に繋がる縦桟を両縦枠に取り付けると共に、両縦桟に繋がる横桟を上枠に取り付け、これらの縦桟及び横桟を挟み込むように、一対の化粧板を縦桟及び横桟に固定することによって上部パネルを形成するようになっている。
【先行技術文献】
【特許文献】
【０００５】
【特許文献１】特開平０８−１５１７３０号公報
【発明の概要】
【発明が解決しようとする課題】
【０００６】
しかしながら、上述したように、壁面開口部内でドア枠の組み立てを行う場合、上枠と縦枠の直角が出にくく、縦枠の位置調整に手間がかかると共に、ドア枠の組立後に行う上部パネルの形成作業も面倒であり、上部パネルを取り付けたドア枠を効率よく設置することができないといった問題がある。
【０００７】
また、ドア枠の開口幅が大きい場合、即ち、上枠の長さが長い場合は、上枠が撓み易いので、上枠を壁面開口部の上面にねじ止めした状態であっても、上枠に不陸が発生し易く、その後に形成される上部パネルとの間に隙間が発生してしまうといった問題もある。
【０００８】
そこで、この発明の課題は、上部パネルを取り付けた、天井面まで立ち上がるドア枠を簡単にしかも精度良く設置することができるようにすることにある。
【課題を解決するための手段】
【０００９】
上記の課題を解決するため、請求項１に係る発明は、天井面まで立ち上がるドア枠に取り付けられるドアの直上部分を仕切るために、前記ドア枠の上部に取り付けられる上部パネルと、前記ドア枠を構成している上枠とを備え、前記上枠が前記上部パネルに予め取り付けられていることを特徴とする上部パネルユニットを提供するものである。
【００１０】
また、請求項２に係る発明は、請求項１に係る発明の上部パネルユニットにおいて、前記上部パネルは、透明または半透明の窓部を有していることを特徴としている。
【００１１】
また、請求項３に係る発明は、請求項１または２に係る発明の上部パネルユニットにおいて、前記上枠の両端部には、前記ドア枠を構成している縦枠に取り付けられた連結ピンに係合することで、前記上枠を前記縦枠に連結する引き独鈷金具が取り付けられていることを特徴としている。
【００１２】
また、請求項４に係る発明は、請求項１または２に係る発明の上部パネルユニットにおいて、前記上枠の両端部には、前記ドア枠を構成している縦枠に取り付けられた連結ピンに係合することで、前記縦枠を引き付けた状態で、前記上枠を前記縦枠に連結する引き独鈷金具が取り付けられていることを特徴としている。
【発明の効果】
【００１３】
以上のように、請求項１、２に係る発明の上部パネルユニットは、ドア枠の上部に取り付けられる上部パネルと、ドア枠を構成している上枠とが、予め、一体化されているので、上枠と縦枠とを連結する際、上枠に取り付けてある上部パネルが施工定規の役割を果たし、縦枠を上部パネルの両端面に当接させることによって、上枠と縦枠との直角が出やすく、縦枠の位置調整を容易に行うことができる。
【００１４】
また、予め、上部パネルが上枠に取り付けられているので、従来のように、組み立てたドア枠に、桟木等を取り付けて化粧板を張るといった上部パネルの形成作業が不要となり、上部パネルを取り付けた、天井面まで立ち上がるドア枠を短時間で効率よく設置することができる。
【００１５】
また、上枠に上部パネルが取り付けられていることで、上枠の長さが長い場合であっても、上枠が撓みにくく、上枠を壁面開口部の上面に固定した状態で、上枠に不陸が発生しにくいので、ドア枠を精度良く組み立てることができると共に、上枠と上部パネルとの間に隙間が形成されることもない。
【００１６】
また、請求項３に係る発明の上部パネルユニットは、上枠の両端部に、ドア枠を構成している縦枠に取り付けられた連結ピンに係合させることで、上枠を縦枠に連結する引き独鈷金具が取り付けられているので、壁面開口部内でドア枠を組み立てる際、縦枠を壁面開口部の両側面に仮固定した後、縦枠に取り付けられた連結ピンを上枠に取り付けられた引き独鈷金具に係合させることで、左右一対の縦枠と上枠とが即座に連結される。従って、縦枠の垂直を調整するだけで、上枠と縦枠との連結部分が直角となり、上枠の固定は目視で水平を確認しながら行えばよく、寸法出しの必要もないので、施工作業性がよい。
【００１７】
また、請求項４に係る発明の上部パネルユニットは、上枠に取り付けた引き独鈷金具が、縦枠に取り付けた連結ピンに係合することで、縦枠を引き付けた状態で、上枠を縦枠に連結するようになっているので、この引き独鈷金具によって上枠と縦枠とを連結するだけで、上枠と縦枠との連結部分が直角となり、上枠と縦枠とを連結するだけの引き独鈷金具を採用している請求項３に係る発明の上部パネルユニットに比べて、施工作業性がさらに向上する。
【図面の簡単な説明】
【００１８】
【図１】この発明に係る上部パネルユニットの一実施形態を用いて組み立てたドア枠にドアを取り付けた状態を示す正面図である。
【図２】（ａ）は図１のＶ−Ｖ線に沿った断面図、（ｂ）は図１のＷ−Ｗ線に沿った断面図である。
【図３】同上の上部パネルユニットを示す斜視図である。
【図４】同上の上部パネルユニットを示す側面図である。
【図５】（ａ）は同上の上部パネルユニットを示す平面図、（ｂ）は同上の上部パネルユニットを示す正面図、（ｃ）は同上の上部パネルユニットを示す底面図である。
【図６】同上の上部パネルユニットの端部を示す部分拡大斜視図である。
【図７】（ａ）は縦枠への上枠の取り付け前の状態を示す平面図、（ｂ）は縦枠に上枠を取り付けた状態を示す平面図である。
【図８】（ａ）、（ｂ）は同上のドア枠の組立・設置工程を説明するための工程図である。
【図９】この発明に係る上部パネルユニットの他の実施形態を用いて組み立てたドア枠にドアを取り付けた状態を示す正面図である。
【図１０】（ａ）は図９のＸ−Ｘ線に沿った断面図、（ｂ）は図９のＹ−Ｙ線に沿った断面図である。
【図１１】同上の上部パネルユニットを示す斜視図である。
【図１２】同上の上部パネルユニットを示す側面図である。
【図１３】（ａ）は同上の上部パネルユニットを示す平面図、（ｂ）は同上の上部パネルユニットを示す正面図、（ｃ）は同上の上部パネルユニットを示す底面図である。
【図１４】同上の上部パネルユニットの端部を示す部分拡大斜視図である。
【図１５】（ａ）は縦枠への上枠の取り付け前の状態を示す平面図、（ｂ）は縦枠に上枠を取り付けた状態を示す平面図である。
【図１６】（ａ）、（ｂ）は引き寄せ機能を備えていない引き独鈷金具が取り付けられた上枠の端部を示す部分平面図である。
【発明を実施するための形態】
【００１９】
以下、実施の形態について図面を参照して説明する。図１〜図２（ａ）、（ｂ）は、天井面まで立ち上がったドア枠１０にドアＤを取り付けた状態を示している。このドア枠１０は、天井面まで立ち上がる、左右一対の縦枠１１、１１と、この縦枠１１、１１をその上端部で連結する上枠１２とから構成されており、このドア枠１０には、ドアＤの上側の空間を仕切る上部パネル２０が取り付けられている。なお、縦枠１１、１１、上枠１２及び上部パネル２０は、木質材料によって形成されており、縦枠１１、１１には、合成樹脂等によって形成された戸当り１３、１３が取り付けられている。
【００２０】
前記上部パネル２０は、図３〜図５に示すように、ドア枠１０を構成している上枠１２に予め取り付けられた上部パネルユニット１として、一対の縦枠１１、１１と共に供給されるようになっており、上部パネル２０は、上枠１２の短手方向の一端側における下面にねじ止めされている。
【００２１】
前記上枠１２は、図６に示すように、上面側の長手方向の両端角部が切除されており、この切除部の側端面１２ａに、図７（ａ）、（ｂ）に示すように、縦枠１１に取り付けられた２本の連結ピン３１、３１の大径の頭部３１ａ、３１ａに係合することで、縦枠１１を引き付けた状態で、上枠１２を縦枠１１に連結する引き独鈷金具３２が取り付けられている。
【００２２】
前記引き独鈷金具３２は、連結ピン３１、３１の大径の頭部３１ａ、３１ａに係合する面が、連結ピン３１、３１の進入方向に向かって金具の取付面側に徐々に接近するように、係合部３２ａ、３２ａを傾斜させてあり、連結ピン３１、３１を係合部３２ａ、３２ａに進入させるに従って、縦枠１１が上枠１２側に引き付けられるようになっている。
【００２３】
以上のように構成されたドア枠１０は、以下のようにして組み立てられる。まず、図８（ａ）に示すように、左右一対の縦枠１１、１１を、壁面開口部を形成している縦桟木５１、５１に木ねじによって仮止めした後、図７（ａ）、（ｂ）に示すように、縦枠１１に取り付けられた２本の連結ピン３１、３１を、上部パネル２０の上枠１２に取り付けられた引き独鈷金具３２に係合させることで、図８（ｂ）に示すように、左右一対の縦枠１１、１１の上端部同士を、上部パネルユニット１（上枠１２）によって相互に連結する。
【００２４】
この状態では、縦枠１１に取り付けられた連結ピン３１、３１が引き独鈷金具３２に係合することによって、左右一対の縦枠１１、１１の上端部が上部パネル２０側に引き寄せられて、上部パネルユニット１を構成している上枠１２の両側端面だけでなく、上部パネル２０の両側端面についても縦枠１１、１１の内側面に当接することになるので、上枠１２と縦枠１１、１１の直角が出ていると共に、縦枠１１、１１と上枠１２との間に隙間が形成されにくくなっている。
【００２５】
続いて、縦枠１１、１１が垂直になるように、壁面開口部を構成している縦桟木５１、５１と縦枠１１、１１との間に隙間調整部材を適宜挿入しながら、縦枠１１、１１の位置調整を行い、縦桟木５１、５１に縦枠１１、１１を釘や木ねじによって本固定するが、上述したように、上枠１２と縦枠１１、１１の直角が保持されているので、縦枠１１、１１の位置調整を容易に行うことができる。
【００２６】
最後に、上枠１２の水平を目視で確認しながら、壁面開口部を構成している横桟木５２と上枠１２との間に隙間調整部材を適宜挿入することによって、上枠１２の位置調整を行い、横桟木５２に上枠１２を釘や木ねじによって固定することになるが、上枠１２の下面に上部パネル２０が予め取り付けられていることで、上枠１２が撓みにくく、上枠１２を横桟木５２に固定した状態で、上枠１２に不陸が発生しにくいので、ドア枠１０を精度良く組み立てることができると共に、上枠１２と上部パネル２０との間に隙間が形成されることもない。なお、戸当り１３、１３は、ドアＤをドア枠１０に取り付ける直前に、縦枠１１、１１に取り付けることになる。
【００２７】
図９〜図１０（ａ）、（ｂ）は、図１１〜図１５に示す、他の実施形態である上部パネルユニット１Ａを使用して組み立てたドア枠１０ＡにドアＤを取り付けた状態を示している。このドア枠１０Ａも基本的には上述したドア枠１０と同一構成を備えているので、同一構成要素には同一符号を付してその説明を省略し、異なる構成要素である上部パネルユニット１Ａについて詳細に説明する。
【００２８】
前記上部パネルユニット１Ａは、上枠１２Ａと、この上枠１２Ａの短手方向の一端側に取り付けられた上部パネル２０Ａと、この上部パネル２０Ａの下端部に取り付けられた、ドアクローザＤＣを取り付けるための取付桟４０とから構成されており、上部パネル２０Ａは、透明または半透明の窓部を有している。
【００２９】
前記上部パネル２０Ａは、木質材料によって形成された窓下枠２１と、この窓下枠２１と上枠１２Ａとを両端部でそれぞれ連結する、アルミニウム成形体からなる左右一対の窓縦枠２２、２２と、窓下枠２１、左右一対の窓縦枠２２及び上枠１２Ａに形成された溝に周縁部が嵌め込まれることによって、これらの枠材に保持される透明または半透明のプラスチック板２３とから構成されており、左右一対の窓縦枠２２、２２は、その上端部及び下端部が上枠１２Ａ及び窓下枠２１の長手方向の両端部にそれぞれ形成された彫込部に嵌め込まれた状態で、その彫込部にビス止めされている。
【００３０】
前記上枠１２Ａも、図１４に示すように、上述した上部パネルユニット１の上枠１２と同様に、上面側の長手方向の両端角部が切除され、この切除部の側端面１２Ａａに、図１５（ａ）、（ｂ）に示すように、縦枠１１に取り付けられた２本の連結ピン３１、３１の大径の頭部３１ａ、３１ａに係合することで、縦枠１１を引き付けた状態で、上枠１２Ａを縦枠１１に連結する引き独鈷金具３２Ａが取り付けられているが、上枠１２Ａの両端部には、左右一対の窓縦枠２２、２２が固定されているので、この窓縦枠２２、２２の取付領域まで張り出さないように、引き独鈷金具３２Ａは、その係合部３２Ａａ、３２Ａａが相互に接近したものを採用している。
【００３１】
また、前記取付桟４０は、窓下枠２１と同様の木質材料によって形成されており、上部パネル２０Ａの窓下枠２１に取り付けられている。ドアクローザＤＣは、取付桟４０の下面に取り付けるようになっており、取付桟４０に取り付けたドアクローザＤＣは、ドアＤの上端部に取り付けたストライカーを受け入れることができるように、ドアＤの上端部に対応する高さ位置に張り出している。
【００３２】
以上のように構成された上部パネルユニット１Ａを用いてドア枠１０Ａを組立・設置する場合も、上述したドア枠１０と同様の方法で行うことができ、上部パネルユニット１を使用する場合と同様の効果を得ることができる。
【００３３】
また、上述した上部パネルユニット１Ａは、上部パネル２０ＡにドアクローザＤＣを取り付けるための取付桟４０を取り付けているが、これに限定されるものではなく、ドアクローザＤＣを取り付けない場合は、上部パネル２０Ａに取付桟４０を取り付ける必要はないことは言うまでもない。
【００３４】
なお、上述した実施形態では、アルミニウム成形体からなる窓縦枠２２、２２を採用しているが、これに限定されるものではなく、木質材料によって形成することも可能である。ただし、強度面を考慮すると、アルミニウム成形体からなる窓縦枠を採用することが望ましい。
【００３５】
また、上述した実施形態では、上部パネル２０Ａの窓部を透明または半透明のプラスチック板２３によって形成しているが、これに限定されるものではなく、透明または半透明のガラス板を採用することも可能である。
【００３６】
また、上述した各実施形態では、縦枠１１の引付機能を有する引き独鈷金具３２、３２Ａを採用しているが、これに限定されるものではなく、例えば、図１６（ａ）、（ｂ）に示すように、係合部３２Ｂａ、３２Ｂａ、係合部３２Ｃａ、３２Ｃａが傾斜しておらず、縦枠１１の引付機能を有していない引き独鈷金具３２Ｂ、３２Ｃを採用することも可能である。
【００３７】
このように、縦枠１１の引付機能を有していない引き独鈷金具３２Ｂ、３２Ｃを採用する場合も、縦枠１１の引付機能を有する引き独鈷金具３２、３２Ａを採用する場合と同様に、予め、縦枠１１、１１と上枠１２とを連結することができるので、従来のように、それぞれの縦枠を個別に壁面開口部の側面に仮止めした後、上枠を壁面開口部の上面に位置決めしながら固定設置する必要がなく、上枠１２、１２Ａを、壁面開口部を構成している横桟木５２に固定する際、上枠１２の水平を目視で確認しながら、壁面開口部を構成している横桟木５２と上枠１２との間に隙間調整部材を適宜挿入することによって、上枠１２の位置調整を行うことができるので、上枠１２、１２Ａの位置調整を簡単に行うことができる。
【００３８】
また、上述した各実施形態では、上枠１２、１２Ａの両端部に引き独鈷金具３２、３２Ａを取り付けているが、これに限定されるものではなく、引き独鈷金具を省略することも可能である。ただし、引き独鈷金具を上枠に取り付けない上部パネルユニットを使用する場合は、上枠１２、１２Ａに引き独鈷金具３２、３２Ａを取り付けている上部パネルユニット１、１Ａを使用する場合とは、ドア枠の組立・設置方法が異なる。以下、引き独鈷金具を上枠に取り付けない上部パネルユニットを使用する場合のドア枠の組立・設置方法について簡単に説明する。
【００３９】
まず、左右一対の縦枠を、壁面開口部を形成している縦桟木に仮止めした後、上枠を位置決めしながら、壁面開口部を形成している横桟木に上部パネルユニットを固定設置し、それぞれの縦枠を上部パネルユニットの両端部に連結した後、縦枠が垂直になるように調整しながら、縦枠を壁面開口部の縦桟木に固定設置することになる。
【００４０】
以上のように、縦枠を上部パネルユニットに連結した状態では、上部パネルユニットを構成している上枠の両側端面だけでなく、上部パネルの両側端面についても縦枠の内側面に当接することによって、上部パネルが施工定規の役割を果たすので、上枠と縦枠との直角を出し易く、その後に行う縦枠の位置調整を簡単に行うことができる。
【００４１】
また、上述した上部パネルユニット１、１Ａを使用する場合と同様に、上枠の下面に上部パネルが予め取り付けられていることによって、上枠が撓みにくく、上枠を横桟木に固定した状態で、上枠に不陸が発生しにくいので、ドア枠を精度良く組み立てることができると共に、上枠と上部パネルとの間に隙間が形成されることもないという効果が得られることは言うまでもない。
【産業上の利用可能性】
【００４２】
本発明の上部パネルユニットは、縦枠が天井面まで立ち上がり、ドアの上側に上部パネルが取り付けられるドア枠を壁面開口部に設置する場合に利用することができる。
【符号の説明】
【００４３】
１、１Ａ  上部パネルユニット
１０、１０Ａ  ドア枠
１１  縦枠
１２、１２Ａ  上枠
１２ａ、１２Ａａ  側端面
１３  戸当り
２０、２０Ａ  上部パネル
２１  窓下枠
２２  窓縦枠
２３  プラスチック板
３１  連結ピン
３１ａ  頭部
３２、３２Ａ、３２Ｂ、３２Ｃ  引き独鈷金具
３２ａ、３２Ａａ、３２Ｂａ、３２Ｃａ  係合部
４０  取付桟
５１  縦桟木
５２  横桟木
Ｄ  ドア
ＤＣ  ドアクローザ
【図１】
2011163008.tif 000003
【図２】
2011163008.tif 000004
【図３】
2011163008.tif 000005
【図４】
2011163008.tif 000006
【図５】
2011163008.tif 000007
【図６】
2011163008.tif 000008
【図７】
2011163008.tif 000009
【図８】
2011163008.tif 000010
【図９】
2011163008.tif 000011
【図１０】
2011163008.tif 000012
【図１１】
2011163008.tif 000013
【図１２】
2011163008.tif 000014
【図１３】
2011163008.tif 000015
【図１４】
2011163008.tif 000016
【図１５】
2011163008.tif 000017
【図１６】
2011163008.tif 000018